(57)【要約】【課題】横方向の首振り角度を調整可能であり、且つ着脱も容易にできるリモコンを提供する。【解決手段】機器操作用のリモコン１であって、このリモコン１には係止部３が形成されており、この係止部３を、上下方向に移動可能なスライドバー７に設けられたシャワーフック部９に嵌め込んで、リモコン１を横方向の首振り角度を調整可能に取り付けることができる。【選択図】図４
2007330559.tif 000002
【特許請求の範囲】
【請求項１】
機器操作用のリモコンであって、該リモコンは、取付基体に対して横方向に首振り角度を調整可能に取り付けできるように構成されていることを特徴とするリモコン。
【請求項２】
前記取付基体に係止フックを設け、該係止フックに嵌まり込む部分が前記リモコンに備えられていることを特徴とする請求項１に記載のリモコン。
【請求項３】
前記係止フックが、シャワーヘッドを掛止できるシャワーフックである請求項２に記載のリモコン。
【請求項４】
前記係止フックが、前記取付基体にスライド移動可能に設けられている請求項２または請求項３に記載のリモコン。
【発明の詳細な説明】
【技術分野】
【０００１】
本発明は、浴室内あるいはトイレ内に設けられる機器操作用のリモコンに関するものである。
【背景技術】
【０００２】
従来、特許文献１に開示されているように、リモコンに備えられた保持部材を、壁面に固定された壁固定部材にヒンジピンで回動可能に連結して、リモコンの上下方向角度を調整できるように構成したものが存在する。
【特許文献１】特開平１１−７１７９９号公報
【発明の開示】
【発明が解決しようとする課題】
【０００３】
上記特許文献１に開示されている構造では、リモコンが上下方向に回動できるものであるが、横方向にその角度を調整することができないものであった。また、壁固定部材を用いて壁に取り付けられるものであるため、壁に加工を要し、また、他の壁に取り付けられる部材との関係で、設置スペースに制約があるという問題点があった。
なお、ボールジョイントを用いてリモコンを上下方向および横方向にも回動できるように構成しようとすると、ボールジョイントではリモコンの支持が不安定になるという問題点があった。
【課題を解決するための手段】
【０００４】
本発明は上記従来の問題点に鑑み案出したものであって、リモコンの横方向の角度を任意に調整でき、またリモコンが安定して支持される構造を提供するものであり、その請求項１は、機器操作用のリモコンであって、該リモコンは、取付基体に対して横方向に首振り角度を調整可能に取り付けできるように構成されていることである。
【０００５】
また、請求項２は、前記取付基体に係止フックを設け、該係止フックに嵌まり込む部分が前記リモコンに備えられていることである。
【０００６】
また、請求項３は、前記係止フックが、シャワーヘッドを掛止できるシャワーフックであることである。
【０００７】
また、請求項４は、前記係止フックが、前記取付基体にスライド移動可能に設けられていることである。
【発明の効果】
【０００８】
本発明は、機器操作用のリモコンであって、該リモコンは、取付基体に対して横方向に首振り角度を調整可能に取り付けできるように構成されていることにより、リモコンを取付基体に取り付けた状態で横方向に首振り角度を調整して、リモコンの角度を任意に調整でき、使い易い位置でリモコンを使用できるものとなる。
【０００９】
また、前記取付基体に係止フックを設け、該係止フックに嵌まり込む部分が前記リモコンに備えられていることにより、係止フックにリモコンを着脱可能に取り付けることができ、リモコンが安定して係止フックに支持されるものである。
【００１０】
また、前記係止フックが、シャワーヘッドを掛止できるシャワーフックであることにより、シャワーヘッドを掛止できるシャワーフックに、シャワーヘッドの代わりにリモコンを着脱可能に取り付け、リモコンの角度を任意に調整して、使い易い位置でリモコンを使用できるものとなる。
【００１１】
また、前記係止フックが、前記取付基体にスライド移動可能に設けられていることにより、取付基体に対し上下方向に係止フックをスライド移動させて、高さ位置も任意に調整することができ、使用者それぞれの使い易い位置でリモコンを使用できるものとなる。
【実施例】
【００１２】
以下、本発明の実施例を図面に基づいて説明する。
図１〜図３は第１実施例を示すものであり、リモコン１は、浴室内に設けられるシャワー装置を操作するためのものであったり、或いは、トイレにおいては局部洗浄装置付き便器を操作するためのものであり、各種のスイッチが表面に設けられている。
このリモコン１の裏面上部には、後方側へ水平に突出して突出片２が形成されており、この突出片２の先端から垂下状に、下端側へ縮径した円錐形の係止部３が形成されている。
一方、壁面４には、シャワーヘッドを掛止するためのシャワーフック５が固設されており、このシャワーフック５には、縦方向の円錐形の内周を有する係入孔５ａが形成され、係入孔５ａの前面は開口５ｂとなっている。
【００１３】
このシャワーフック５には、シャワーヘッドを掛止できるものであるが、シャワーヘッドに代えて、リモコン１の係止部３を上方よりシャワーフック５の係入孔５ａ内に嵌め込んで、図２のようにリモコン１をシャワーフック５に支持させることができ、この状態では、係止部３および係入孔５ａは円錐形状であるため、安定した掛止状態が得られ、この状態で図３の平面図で示すように、横方向にリモコン１の首振り角度を適宜調整できるものである。即ち、使用者各々に使い易い位置でリモコン１の角度を調整して、リモコン１を使用することができるものとなる。
なお、浴室内には既にシャワーフック５が壁面４に固定状に設けられているものであるため、浴室内に係止部３を備えたリモコン１を持ち込むだけで、容易にリモコン１をシャワーフック５に支持させることができる。
【００１４】
次に、図４は第２実施例を示すものであり、図４では、浴室内に縦方向の縦手摺りバー６が壁面に固定されており、この縦手摺りバー６には、スライドバー７が上下方向にスライド移動できるように取り付けられており、スライドバー７の通し孔７ａ内に縦手摺りバー６が通されて、スライドバー７の右端側のハンドル８を締め付けることで、スライドバー７を縦手摺りバー６の任意の高さ位置で固定できるものであり、ハンドル８を緩めることでスライドバー７を上下方向に移動させることができるものである。
【００１５】
このスライドバー７のハンドル８と反対側の先端には、シャワーフック部９が設けられており、このシャワーフック部９には、前面に開口９ｂを有する縦方向の係入孔９ａが形成されており、通常はこの係入孔９ａ内にはシャワーヘッドが掛止されるものであるが、シャワーヘッドに代えて、このシャワーフック部９の係入孔９ａ内にリモコン１の係止部３を上方より嵌め込んで、シャワーフック部９にリモコン１を支持させることができ、支持させた状態でリモコン１は係入孔９ａ内で係止部３が水平面内で回動可能であるため、リモコン１の横方向の首振り角度を任意に調整することができるものである。
しかも、スライドバー７の縦手摺りバー６に対する高さ位置を任意に調整できるため、リモコン１の高さ位置も任意に調整可能であり、さらに、リモコン１は容易に着脱することができ、シャワーヘッドに代えてリモコン１を容易にシャワーフック部９に取り付けて、その高さおよび角度を任意に調整して使い易い位置でリモコン１を使用できるものである。
【００１６】
なお、図４のような縦手摺りバー６およびスライドバー７は、トイレ内に設置されている場合もあり、トイレ内に設置されている場合には、図５に示すように、シャワーフック部９には、ペーパーホルダー１０を着脱可能に取り付けることもできる。
即ち、リモコン１に代えて、ペーパーホルダー１０をシャワーフック部９に取り付けできるものであり、このペーパーホルダー１０は、本体部１０ａと紙切り板１０ｂを有し、ロールペーパー１１を本体部１０ａで支持できるものであり、本体部１０ａの中央上部部位から後方側へ水平に突出して突出片１２が一体形成されており、この突出片１２の先端で垂下状に円錐形状の係止部１３が設けられており、係止部１３の下面には垂下状に雄ネジ１４が設けられている。
【００１７】
このペーパーホルダー１０の係止部１３を、シャワーフック部９の係入孔９ａ内に上方より嵌め込んで、シャワーフック部９にペーパーホルダー１０を支持させることができ、この状態でペーパーホルダー１０は横向きの首振り角度を自由に調整できて、使い易い角度に調整することができ、また、スライドバー７の上下高さを調整して高さ位置も任意に調整することができ、使用者それぞれの使い易い位置でペーパーホルダー１０を使用できるものである。
【００１８】
なお、ペーパーホルダー１０のネジ１４に対し、シャワーフック部９の下面側からナット１５を締め付けることで、ペーパーホルダー１０の脱落を防ぎ、またペーパーホルダー１０を位置決め固定させることができるものである。
【図面の簡単な説明】
【００１９】
【図１】リモコンの係止部をシャワーフックに嵌め込む前の分解斜視図である。
【図２】嵌め込んだ状態の側面構成図である。
【図３】嵌め込んだ状態でリモコンの横方向首振り角度を調整している作用説明平面構成図である。
【図４】第２実施例のスライドバーに設けられたシャワーフック部にリモコンを支持させる前の分解斜視図である。
【図５】リモコンに代えてペーパーホルダーをスライドバーのシャワーフック部に取り付ける前の分解斜視図である。
【符号の説明】
【００２０】
１  リモコン
２  突出片
３  係止部
４  壁面
５  シャワーフック
５ａ  係入孔
５ｂ  開口
６  縦手摺りバー
７  スライドバー
８  ハンドル
９  シャワーフック部
９ａ  係入孔
１０  ペーパーホルダー
１０ａ  本体部
１２  突出片
１３  係止部
１４  ネジ
１５  ナット
【図１】
2007330559.tif 000003
【図２】
2007330559.tif 000004
【図３】
2007330559.tif 000005
【図４】
2007330559.tif 000006
【図５】
2007330559.tif 000007